(57)【特許請求の範囲】
【請求項１】
複数のデータを記録可能な記録媒体と、
上記複数のデータの内、所定のデータを再生するデータ再生手段と、
上記複数のデータの中から第１のデータを選択する第１のデータ選択手段と、
任意の時刻を設定する時刻設定手段と、
上記データ再生手段で所定のデータを再生する場合、上記時刻設定手段で設定した時刻において上記第１のデータとは異なる第２のデータが再生されていた場合は、当該第２のデータの再生を停止し上記第１のデータを自動的に再生するよう該データ再生手段を制御する自動再生制御手段と、
上記自動再生制御手段により上記第１のデータを自動的に再生するよう上記データ再生手段が制御された際、上記第２のデータの再生を停止した位置情報を記憶する停止位置情報記憶手段と、
上記自動再生制御手段により上記第１のデータの再生が終わった後に、上記第２のデータの再生を再び開始する際に、早送り操作により再生を開始する位置を、上記停止位置情報記憶手段で記憶した当該第２のデータの停止位置に設定する再生位置設定手段と、
を具備することを特徴とするデータ再生装置。
【請求項２】
上記停止位置情報記憶手段に第２のデータの停止位置情報が記憶されていた場合は、当該停止位置からの再生が可能であることを示す表示を行う表示手段を具備することを特徴とする請求項１に記載のデータ再生装置。
【請求項３】
上記停止位置からの再生が行われた際に、上記停止位置情報記憶手段に記憶された第２のデータの停止位置情報を削除する停止位置情報削除手段を具備することを特徴とする請求項１に記載のデータ再生装置。
【請求項４】
上記再生位置設定手段は、上記第１のデータの自動再生開始後の所定時間内のみ上記停止位置からの再生を可能とすることを特徴とする請求項１に記載のデータ再生装置。
【請求項５】
上記再生位置設定手段は、上記第１のデータの自動再生終了後の所定時間内のみ上記停止位置からの再生を可能とすることを特徴とする請求項１に記載のデータ再生装置。
【発明の詳細な説明】
【０００１】
【発明の属する技術分野】
本発明は、データ再生装置、詳しくは、所定の時刻に記録内容を再生する自動再生機能を備えたデータ再生装置に関する。
【０００２】
【従来の技術】
近年、マイクロホン等によって得られた音声信号をデジタル信号に変換して、例えば半導体メモリに記録しておき、再生時において、該半導体メモリからこの音声信号を読み出してアナログ信号に変換し、スピーカ等により音声として出力する、いわゆるデジタルレコーダと呼ばれているデジタル音声記録再生装置が開発されている。たとえば特開昭６３−２５９７００号公報には、上述したようなデジタル音声記録再生装置が開示されている。
【０００３】
一方、特開平１１−６５６００号公報には、このようなデジタル音声記録再生装置であって、所定時刻にデータの自動再生を設定し、当該時刻に自動再生の対象以外のデータが再生されている場合に、このデータの再生を停止して代わって自動再生の対象データを再生する装置が開示されている。
【０００４】
【発明が解決しようとする課題】
しかしながら、上記特開平１１−６５６００号公報に開示された装置では、設定した時刻に、自動再生の対象以外のデータが再生されている場合には、この再生データの再生状態を問わず当該再生を停止して、自動再生の対象データの再生を開始してしまう。
【０００５】
このため使用者は、自動再生対象データの再生終了後に、その中断されたデータを再度確認しなければならず、面倒であった。また、自動再生の起動を意識せずに、あるいは自動再生の設定をしていたことを忘れて対象外のデータを再生していた場合にこのような中断がなされると、どこまで再生を行っていたのかが分からず、再度の再生に苦慮することも想定できる。
【０００６】
また、この種の装置のなかには、早送り機能を有さないものも多く、このような装置では中断された箇所に拘わらず、そのデータを最初から再生し直さなければならず、重複して再生するデータ量も多くなり、使い勝手が悪かった。
【０００７】
本発明はかかる問題点に鑑みてなされたものであり、所定のデータを対象とした自動再生機能が働くことによって中断された現に再生中のデータを、この中断箇所等から容易に再生を再開することが可能なデータ再生装置を提供することを目的とする。
【０００８】
【課題を解決するための手段】
上記の目的を達成するために本発明の第１のデータ再生装置は、複数のデータを記録可能な記録媒体と、上記複数のデータの内、所定のデータを再生するデータ再生手段と、上記複数のデータの中から第１のデータを選択する第１のデータ選択手段と、任意の時刻を設定する時刻設定手段と、上記データ再生手段で所定のデータを再生する場合、上記時刻設定手段で設定した時刻において上記第１のデータとは異なる第２のデータが再生されていた場合は、当該第２のデータの再生を停止し上記第１のデータを自動的に再生するよう該データ再生手段を制御する自動再生制御手段と、上記自動再生制御手段により上記第１のデータを自動的に再生するよう上記データ再生手段が制御された際、上記第２のデータの再生を停止した位置情報を記憶する停止位置情報記憶手段と、上記自動再生制御手段により上記第１のデータの再生が終わった後に、上記第２のデータの再生を再び開始する際に、早送り操作により再生を開始する位置を、上記停止位置情報記憶手段で記憶した当該第２のデータの停止位置に設定する再生位置設定手段と、を具備することを特徴とする。
【０００９】
上記の目的を達成するために本発明の第２のデータ再生装置は、上記第１のデータ再生装置において、上記停止位置情報記憶手段に第２のデータの停止位置情報が記憶されていた場合は、当該停止位置からの再生が可能であることを示す表示を行う表示手段を具備することを特徴とする。
【００１０】
上記の目的を達成するために本発明の第３のデータ再生装置は、上記第１のデータ再生装置において、上記停止位置からの再生が行われた際に、上記停止位置情報記憶手段に記憶された第２のデータの停止位置情報を削除する停止位置情報削除手段を具備することを特徴とする。
【００１１】
上記の目的を達成するために本発明の第４のデータ再生装置は、上記第１のデータ再生装置において、上記再生位置設定手段は、上記第１のデータの自動再生開始後の所定時間内のみ上記停止位置からの再生を可能とすることを特徴とする。
【００１２】
上記の目的を達成するために本発明の第５のデータ再生装置は、上記第１のデータ再生装置において、上記再生位置設定手段は、上記第１のデータの自動再生終了後の所定時間内のみ上記停止位置からの再生を可能とすることを特徴とする。
【００１５】
【発明の実施の形態】
以下、図面を参照して本発明の実施の形態を説明する。
【００１６】
図１は、本発明の第１の実施形態である音声記録再生装置の構成を示したブロック図である。
【００１７】
本第１の実施形態の音声記録再生装置は、音声を電気信号に変換するマイクロホン１を具備し、該マイクロホン１からの音声出力は接続されたマイクアンプ（ＡＭＰ）２によって増幅されるようになっている。このマイクアンプ２の出力はローパスフィルタ（ＬＰＦ）３を介してＡ／Ｄ変換器（Ａ／Ｄ）４に入力されるようになっており、マイクアンプ２で増幅されたアナログの音声信号は、ローパスフィルタ３でエリアシングノイズの発生を防止するため不要な周波数帯域をカットされ該Ａ／Ｄ変換器（Ａ／Ｄ）４に入力される。
【００１８】
上記Ａ／Ｄ変換器４においてアナログ信号である音声信号はデジタル信号に変換された後、デジタル信号処理部（ＤＳＰ）５に入力されるようになっている。
【００１９】
また、上記デジタル信号処理部５には、該デジタル信号処理部５の動作を制御する、図示しない制御回路が接続されているとともに、符号化されたデータを一時的に記憶するデータＩ／Ｏバッファが接続されている。なお、上記制御回路は後述するシステム制御部６に接続され、制御されるようになっている。
【００２０】
上記デジタル信号処理部５は、録音時には、システム制御部６に制御されて上記Ａ／Ｄ変換器４でデジタル信号に変換された音声信号をフレーム単位で一定のフォーマットのデータに圧縮変換（符号化）し、符号化されたデータは一時的に上記データＩ／Ｏバッファに記録され、この後、システム制御部６に対して伝送されるようになっている。
【００２１】
一方、再生時には、上記デジタル信号処理部５は、システム制御部６に制御されて該システム制御部６からのデータをフレーム単位で伸長変換（復号化）する処理を行い、復号化されたデジタル信号は、Ｄ／Ａ変換器（Ｄ／Ａ）１１に対して出力するようになっている。
【００２２】
上記Ｄ／Ａ変換器１１でアナログ信号に変換された音声信号は、不要な周波数帯域をカットして量子化雑音を軽減するローパスフィルタ（ＬＰＦ）１２を介して、該音声信号を増幅してスピーカを駆動するパワーアンプ（ＡＭＰ）１３に入力されるようになっている。また、該パワーアンプ１３で増幅された音声信号は音声に変換して放音するスピーカ１４より発音されるようになっている。
【００２３】
上記システム制御部６は、マイクロプロセッサ（ＣＰＵ）で構成され、当該音声記録再生装置の各部の動作を制御する制御手段としての役目を果たすと共に、自動再生制御手段、停止位置情報記憶手段、再生位置移動手段としての役目を果たす。
【００２４】
以下、自動再生機能に係る構成について説明する。
【００２５】
システム制御部６には、自動再生設定のための自動再生設定スイッチ１０１と、自動再生対象データの選択を行う自動再生対象データ選択スイッチ１０５とが接続されている。
【００２６】
操作者は、この自動再生設定スイッチ１０１の操作により、自動再生の設定と共に再生開始時刻等を設定する。また、自動再生対象データ選択スイッチ１０５の操作により、自動再生対象データを指定する。
【００２７】
これらスイッチで自動再生が設定されている場合、システム制御部６は、自動再生設定スイッチ１０１で設定した時刻が到来すると、自動再生対象データ選択スイッチ１０５で選択した自動再生対象データの再生を自動的に開始するよう各部を制御する。
【００２８】
また、システム制御部６は、自動再生が設定され、当該自動再生開始時刻が到来した際に、選択された自動再生対象データ（第１のデータ）とは異なるデータ（第２のデータ）が再生されていた場合は、当該第２のデータの再生を停止するとともにその中断箇所に係るアドレスを記憶した上で、上記第１のデータを自動的に再生するよう制御する。なお、詳しくは後述する。
【００２９】
また、システム制御部６には、当該音声記録再生装置に係る各種情報を表示するＬＣＤ表示器９が駆動回路８を介して接続されている。このＬＣＤ表示器９は、各種動作モードに係る情報、時刻情報、日付情報等の他、上記自動再生設定スイッチ１０１で設定する自動再生設定の有無、自動再生開始時刻、上記自動再生対象データ選択スイッチ１０５で選択する自動再生に係る再生対象データおよび自動再生の際の中断情報等を表示する。
【００３０】
一方、システム制御部６には、例えばフラッシュメモリカード等の記録媒体７がメモリカード制御部等を介して接続される。このフラッシュメモリカード７は、当該音声記録再生装置に着脱自在であって、所定の音声データおよび該音声データに関するインデックス情報が各々記録される音声データ領域およびインデックス情報領域を有する記録媒体である。
【００３１】
また、フラッシュメモリカード７には、メモリの種別（読み出し専用カードであるか否か等）を設定するスイッチ、書き込み防止とするか否かを設定するスイッチが各々設けられている。これらのスイッチの状態は該フラッシュメモリカードが当該音声記録再生装置に装着された際に、メモリカード制御部を介してシステム制御部６で検出するようになっている。
【００３２】
さらに、システム制御部６には、図示しないアドレス制御回路が接続されており、各操作ボタン１５の操作に応じて、該アドレス制御回路に適当なアドレス信号を与え、上記デジタル信号処理部５から供給された音声データのほか、録音日時、インデックス情報等を所定のフォーマットに基づいて上記フラッシュメモリカード７に記録、あるいは該フラッシュメモリカード７に記録されているデータを読み出して上記デジタル信号処理部５に供給するようになっている。
【００３３】
なお、システム制御部６は、当該音声記録再生装置の電源となる電池１０より電源を供給される。そして、この電池１０が装置本体より外された際は、時計機能を一旦リセットする。そして、電池交換時等において電池１０が装填されたことを検出すると、自動的に時計合わせモードに移行するように各部を制御する。
【００３４】
上述したように上記システム制御部６には操作ボタン群１５が接続されている。該操作ボタン群１５は、録音ボタン（ＲＥＣ）１０２、再生ボタン（ＰＬＡＹ）１０３、停止ボタン（ＳＴＯＰ）１０４、早送りボタン（ＦＦ）１０６、早戻しボタン（ＲＥＷ）１０７等の各種操作ボタンで構成される。
【００３５】
その他システム制御部６は、上記操作ボタン群１５の各操作ボタンの操作に応じて、デジタル信号処理部５のほかメモリカード７の動作を制御する。すなわち録音ボタンの操作により音声信号を記録する際にはデジタル信号処理部５から供給された音声データを所定のフォーマットに基づいてメモリカード７へ供給して記録する。あるいは、再生ボタンの操作により所定の音声を再生する際には、システム制御部６は、フラッシュメモリカード７に記録されているデータを受け取りデジタル信号処理部５に供給する。
【００３６】
次に、図２乃至図５を参照して本実施形態の音声記録再生装置における自動再生に係る動作を説明する。
【００３７】
図２は、本実施形態の音声記録再生装置における自動再生に係る基本的な処理動作を示したフローチャートである。
【００３８】
当該音声記録再生装置に電源が供給されると、システム制御部６は図２に示すように、まず、所定の初期設定を行う（ステップＳ１）。この後、システム制御部６は、録音ボタン（ＲＥＣ  ＳＷ）１０２、再生ボタン（ＰＬＡＹ  ＳＷ）１０３、停止ボタン（ＳＴＯＰ  ＳＷ）１０４のオン操作（ステップＳ２、Ｓ４、Ｓ６）に応じて、所定のサブルーチン“録音処理（ＲＥＣ）”、“再生処理（ＰＬＡＹ）”、“停止処理（ＳＴＯＰ）”を実行する（ステップＳ３、Ｓ５、Ｓ７）。
【００３９】
システム制御部６は、各操作ボタンの検出（ステップＳ２、Ｓ４、Ｓ６）に次いで、自動再生設定スイッチ１０１による自動再生設定がなされているか否かを判断する（ステップＳ８）。ここで、自動再生が設定されている場合は、システム制御部６等に内蔵された図示しない計時タイマ等により、同じく自動再生設定スイッチ１０１により設定された自動再生時刻の到来を待つ（ステップＳ９）。ここで、自動再生時刻が到来すると、システム制御部６は、自動再生対象データ選択スイッチ１０５で選択されている再生対象データの再生を開始するよう、各部を制御する（ステップＳ１０）。
【００４０】
なお、以上説明した、図２のフローチャートに係る自動再生処理は基本的な処理例であって、当該自動再生が開始された際には、何等データの再生がなされていない状態での処理例を示したものである。
【００４１】
本実施形態の音声記録再生装置は、自動再生が開始された際に、現に、再生対象データ（第１のデータ）以外のデータ（第２のデータ）が再生されている場合には、一旦、この第２のデータの再生を中断して該中断箇所を記憶した後に再生対象データを自動再生することを特徴とする。
【００４２】
以下、このように再生対象データ（第１のデータ）以外の第２のデータの再生中に自動再生時刻が到来した場合、および一旦中断した第２のデータを再び再生する場合の処理について説明する。
【００４３】
図３は、本第１の実施形態の音声記録再生装置における再生処理を示したフローチャートである。
【００４４】
再生ボタン（ＰＬＡＹ  ＳＷ）１０３がオンされると、システム制御部６は、各回路を制御して所定の再生データ（自動再生対象データ（第１のデータ）とは異なる第２のデータ）の再生を開始する（ステップＳ１１）。再生開始後システム制御部６は、自動再生設定スイッチ１０１により自動再生設定がなされ、さらに当該自動再生時刻が到来したか否かを随時監視する（ステップＳ１２）。ここで、自動再生時刻が到来すると、システム制御部６は、現在再生している第２のデータの再生を中断して（ステップＳ１３）、この中断箇所のアドレス情報をセーブして（ステップＳ１４）、自動再生対象データ（第１のデータ）の再生を開始する（ステップＳ１５）。
【００４５】
ここで、図４を参照して、このステップＳ１５による自動再生のルーチンについて簡単に説明する。
【００４６】
システム制御部６は、自動再生対象データ選択スイッチ１０５によって選択された自動再生対象データ（第１のデータ）の先頭アドレスを再生開始アドレスとして（ステップＳ４１）から再生処理を開始する（ステップＳ４２）。
【００４７】
図３に戻って、再生を開始したデータ中に中断情報がある場合について説明する。
【００４８】
上記ステップＳ１２において、自動再生時刻が到来しない場合（すなわち、自動再生設定がされていない場合、及び、設定はされているが当該時刻が到来していない場合）は、システム制御部６は、現に再生中のデータに、過去における自動再生に伴う中断箇所情報があるか否かを検出する（ステップＳ２１）。
【００４９】
ここで、当該中断箇所情報がある場合は、システム制御部６は、現在の再生位置が当該中断箇所より以降であるか否かを判定する（ステップＳ３１）。ここで、現在再生位置が中断箇所より以降である場合は、ＬＣＤ表示器９上の中断箇所に係る情報、例えば、中断箇所の頭出しが可能である旨の表示をクリアする（ステップＳ３３）。さらに、当該中断箇所に係るアドレス情報をクリアして（ステップＳ３４）、ステップＳ２２に移行する。
【００５０】
一方、上記ステップＳ３１において、現在再生位置が中断箇所より以前である場合は、システム制御部６は、ＬＣＤ表示器９上における中断箇所の頭出しが可能である旨の表示を開始もしくは継続し（ステップＳ３２）、ステップＳ２２に移行する。
【００５１】
また、上記ステップＳ２１において、再生中のデータに自動再生に伴う中断箇所情報がない場合は、通常の再生状態であるとしてステップＳ２２に移行する。
【００５２】
システム制御部６は、ステップＳ２２において、早送りボタン（ＦＦ  ＳＷ）１０６のオン操作を検出する。ここで、早送りボタン（ＦＦ  ＳＷ）１０６のオン操作を検出すると、システム制御部６は、サブルーチン「Ｐ−Ｆ．ＳＫＩＰ」を実行する（ステップＳ２３）。
【００５３】
ここで、図５を参照して上記サブルーチン「Ｐ−Ｆ．ＳＫＩＰ」について説明する。このサブルーチンは、現在再生中のデータに中断箇所情報がある場合に、早送りボタン（ＦＦ  ＳＷ）１０６を操作することにより、即座にその中断箇所からの再生を行う処理を示したものである。
【００５４】
ステップＳ２２において、早送りボタン１０６のオン操作を検出すると、システム制御部６は、現に再生中のデータに、過去における自動再生に伴う中断箇所情報があるか否かを検出する（ステップＳ５１）。
【００５５】
ここで自動再生に伴う中断箇所のアドレス情報がある場合は、システム制御部６は、該中断箇所アドレスを次回の再生開始アドレスとし（ステップＳ５２）、さらに、この中断箇所アドレス情報をクリアして（ステップＳ５３）、再生処理を行う（ステップＳ５４）。これにより、一旦中断された箇所からの再生が開始される。
【００５６】
一方、上記ステップＳ５１において、再生中のデータに中断箇所情報がない場合は、システム制御部６は、現再生データの後に次のデータがあるか否かを検出する（ステップＳ５５）。ここで、次のデータがある場合は、該次のデータの先頭アドレスを次回の再生開始アドレスとして（ステップＳ５６）、再生処理を行う（ステップＳ５４）。これにより、再生位置が次のデータの先頭にスキップして再生が継続する。また、次のデータがない場合、すなわち、現再生データが最終であるときは、現在のデータの先頭アドレスを次回の再生開始アドレスとして（ステップＳ５７）、再生処理を終了する（ステップＳ５８）。
【００５７】
また、上記ステップＳ２２において、早送りボタン（ＦＦ  ＳＷ）１０６のオン操作が検出されない場合、システム制御部６は早戻しボタン（ＲＥＷ  ＳＷ）１０７を監視し、該早戻しボタン（ＲＥＷ  ＳＷ）１０７のオン操作が検出された場合には、サブルーチン「Ｐ−Ｒ．ＳＫＩＰ」を実行する（ステップＳ２５）。この、サブルーチン「Ｐ−Ｒ．ＳＫＩＰ」での処理は再生位置を現再生データの先頭に戻し、この先頭位置から再生を開始させる、公知の処理である。
【００５８】
また、ステップＳ２４において、早戻しボタン（ＲＥＷ  ＳＷ）１０７のオン操作が検出されない場合、システム制御部６は、停止ボタン１０４を監視し（ステップＳ２６）、該停止ボタン１０４がオン操作されると再生を終了して（ステップＳ２７）、メインルーチンにリターンする。また、停止ボタン１０４がオン操作されないときであっても、データエンドに達すると（ステップＳ２８）、同じく再生を終了して（ステップＳ２７）、メインルーチンにリターンする。
【００５９】
以上説明したように本第１の実施形態によると、所定データの再生中に自動再生機能が働き、別のデータ（自動再生対象データ）が再生された場合であっても、後に、中断された箇所からデータを容易に再生することを可能とする。
【００６０】
また、本発明の最良の実施形態としてデジタル録音方式の音声記録再生装置を例に挙げたが、これに限らず本発明の思想はアナログ録音方式の他の録音装置に広く適用できることはいうまでもない。
【００６１】
次に、本発明の第２の実施形態の音声記録再生装置について説明する。
この第２の実施形態の音声記録再生装置は、その構成は図１に示す限りにおいて同様であり、したがってここでの詳しい説明は省略する。
【００６２】
本第２の実施形態は、自動再生対象データ（第１のデータ）の自動再生に伴って再生が中断されたデータ（第２のデータ）がある場合であっても、この第２のデータの中断箇所からの再生再開を、一定時間、例えば自動再生開始から所定時間経過するまでの間に限ることを特徴とする。
【００６３】
以下、本第２の実施形態特有の処理について説明する。
【００６４】
図６は、本第２の実施形態の音声記録再生装置における自動再生に係る基本的な処理動作を示したフローチャートである。
【００６５】
なお、図中、ステップＳ１０１〜ステップＳ１１０の処理は、上記第１の実施形態におけるステップＳ１〜ステップＳ１０（図２参照）と同様であるので、ここでの詳しい説明は省略する。
【００６６】
システム制御部６は、ステップＳ１０５またはステップＳ１１０（上記第１実施形態におけるステップＳ５またはステップＳ１０と同じ作用）において、自動再生対象データ（第１のデータ）の自動再生の開始と共にタイマをスタートさせる。そして、自動再生の開始後、たとえば１時間経過すると（ステップＳ１１１）、自動再生に伴って再生が中断されたデータ（第２のデータ）がある場合であっても、中断箇所に係るアドレス情報をクリアする（ステップＳ１１２）と共に、当該タイマをクリアする（ステップＳ１１３）。
【００６７】
次に、本第２の実施形態において、自動再生対象データ（第１のデータ）以外の第２のデータの再生中に自動再生時刻が到来した場合、および一旦中断した第２のデータを再び再生する場合の処理について説明する。
【００６８】
図７は、本実施形態の音声記録再生装置における再生処理を示したフローチャートである。
【００６９】
上記第１の実施形態と同様に、再生ボタン（ＰＬＡＹ  ＳＷ）１０３がオンされると、システム制御部６は、各回路を制御して所定の再生データ（自動再生対象データ（第１のデータ）とは異なる第２のデータ）の再生を開始する（ステップＳ１１１）。再生開始後システム制御部６は、自動再生設定スイッチ１０１により自動再生設定がなされ、さらに当該自動再生時刻が到来したか否かを随時監視する（ステップＳ１１２）。
【００７０】
ここで、自動再生時刻が到来すると、システム制御部６は、現在再生している第２のデータの再生を中断して（ステップＳ１１３）、この中断箇所のアドレス情報をセーブする（ステップＳ１１４）。さらに、システム制御部６内の所定タイマを一旦クリアして（ステップＳ１１５）、再度タイマをスタートする（ステップＳ１１６）。
【００７１】
この後、自動再生対象データ（第１のデータ）の再生を開始する（ステップＳ１１７）。このステップＳ１１７による自動再生のルーチンは、図４に示す通りであるので、ここでの説明は省略する。
【００７２】
図７に戻って、ステップＳ１１２において自動再生時刻が到来しない場合（すなわち、自動再生設定がされていない場合、及び、設定はされているが当該時刻が到来していない場合）についての処理は、上記第１の実施形態と同様であるので、ここでの説明は省略する。すなわち、図７中、ステップＳ１２１〜ステップＳ１２８は、図２におけるステップＳ２１〜ステップＳ２８に相当する。
【００７３】
このように、本第２の実施形態は、自動再生対象データ（第１のデータ）の自動再生に伴って再生が中断されたデータ（第２のデータ）がある場合に、自動再生開始から１時間経過した後は、第２のデータの中断箇所に係るアドレス情報をクリアするようになっている。すなわち、１時間程度経過しても中断箇所からの再生が再開されないような場合は、それ以降もすぐには当該データの再生は行われない蓋然性が高いうえ、また、当該音声記録再生装置が使用者の手許から離れていることも考えられるため、情報をクリアした方が使い勝手が良いと考えられるからである。
【００７４】
以上説明したように本第２の実施形態によると、所定データの再生中に自動再生機能が働き、別のデータ（自動再生対象データ）が再生された場合であっても、後に、中断された箇所からデータを容易に再生することを可能とするとともに、中断に係る情報を不用意に残さない。
【００７５】
次に、本発明の第３の実施形態の音声記録再生装置について説明する。
この第３の実施形態の音声記録再生装置は、その構成は図１に示す限りにおいて同様であり、したがってここでの詳しい説明は省略する。
【００７６】
本第３の実施形態は、自動再生対象データ（第１のデータ）の自動再生に伴って再生が中断されたデータ（第２のデータ）がある場合であっても、この第２のデータの中断箇所からの再生再開を、一定時間、例えば自動再生が終了してから所定時間経過するまでの間に限ることを特徴とする。この点において、本第３の実施形態は、上記第２の実施形態と類似する。
【００７７】
以下、本第３の実施形態特有の処理について説明する。
【００７８】
また、本第３の実施形態の音声記録再生装置における自動再生に係る基本的な処理動作は、図６に示すフローチャートの如く上記第２の実施形態と同様である。
【００７９】
本第３の実施形態において、自動再生対象データ（第１のデータ）以外の第２のデータの再生中に自動再生時刻が到来した場合、および一旦中断した第２のデータを再び再生する場合の処理について説明する。
【００８０】
図８は、本実施形態の音声記録再生装置における再生処理を示したフローチャートである。
【００８１】
上記第１の実施形態と同様に、再生ボタン（ＰＬＡＹ  ＳＷ）１０３がオンされると、システム制御部６は、各回路を制御して所定の再生データ（自動再生対象データ（第１のデータ）とは異なる第２のデータ）の再生を開始する（ステップＳ２１１）。再生開始後システム制御部６は、自動再生設定スイッチ１０１により自動再生設定がなされ、さらに当該自動再生時刻が到来したか否かを随時監視する（ステップＳ２１２）。
【００８２】
ここで、自動再生時刻が到来すると、システム制御部６は、現在再生している第２のデータの再生を中断して（ステップＳ２１３）、この中断箇所のアドレス情報をセーブする（ステップＳ２１４）。この後、自動再生対象データ（第１のデータ）の再生を開始する（ステップＳ２１５）。このステップＳ２１５による自動再生のルーチンは、図４に示す通りであるので、ここでの説明は省略する。
【００８３】
図８に戻って、ステップＳ２１２において自動再生時刻が到来しない場合（すなわち、自動再生設定がされていない場合、及び、設定はされているが当該時刻が到来していない場合）の処理のうち、図８中、ステップＳ２２１〜ステップＳ２２８は、図２におけるステップＳ２１〜ステップＳ２８に相当するので、ここでの説明は省略する。
【００８４】
上記ステップＳ２２７において、再生が終了すると、システム制御部６は、この再生の終了が自動再生の終了であるか否かを判断する（ステップＳ２５１）。ここで、自動再生の終了ではなく、通常再生の終了である場合は、メインルーチンにリターンする。
【００８５】
一方、自動再生の終了である場合、システム制御部６は、該システム制御部６内の所定タイマを一旦クリアして（ステップＳ２５２）、再度タイマをスタートして（ステップＳ２５３）、リターンする。
【００８６】
このように、本第３の実施形態は、自動再生対象データ（第１のデータ）の自動再生に伴って再生が中断されたデータ（第２のデータ）がある場合に、自動再生の終了から１時間経過した後は、第２の実施形態と同様に、第２のデータの中断箇所に係るアドレス情報をクリアするようになっている。
【００８７】
以上説明したように本第３の実施形態によると、所定データの再生中に自動再生機能が働き、別のデータ（自動再生対象データ）が再生された場合であっても、後に、中断された箇所からデータを容易に再生することを可能とするとともに、中断に係る情報を不用意に残さない。
【００８８】
次に、本発明の第４の実施形態の音声記録再生装置について説明する。
この第４の実施形態の音声記録再生装置は、その構成は図１に示す限りにおいて同様であり、したがってここでの詳しい説明は省略する。
【００８９】
本第４の実施形態は、自動再生対象データ（第１のデータ）の自動再生に伴って再生が中断されたデータ（第２のデータ）がある場合、自動再生終了後、この第２のデータの中断箇所を次回の再生対象とすることを特徴とする。
【００９０】
以下、本第４の実施形態特有の処理について説明する。
【００９１】
本第４の実施形態において、自動再生対象データ（第１のデータ）以外の第２のデータの再生中に自動再生時刻が到来した場合、および一旦中断した第２のデータを再び再生する場合の処理について説明する。
【００９２】
図９は、本実施形態の音声記録再生装置における再生処理を示したフローチャートである。
【００９３】
上記第１の実施形態と同様に、再生ボタン（ＰＬＡＹ  ＳＷ）１０３がオンされると、システム制御部６は、各回路を制御して所定の再生データ（自動再生対象データ（第１のデータ）とは異なる第２のデータ）の再生を開始する（ステップＳ３１１）。再生開始後システム制御部６は、自動再生設定スイッチ１０１により自動再生設定がなされ、さらに当該自動再生時刻が到来したか否かを随時監視する（ステップＳ３１２）。
【００９４】
ここで、自動再生時刻が到来すると、システム制御部６は、現在再生している第２のデータの再生を中断して（ステップＳ３１３）、この中断箇所のアドレス情報をセーブする（ステップＳ３１４）。この後、自動再生対象データ（第１のデータ）の再生を開始する（ステップＳ３１５）。このステップＳ３１５による自動再生のルーチンは、図４に示す通りであるので、ここでの説明は省略する。
【００９５】
図９に戻って、ステップＳ３１２において自動再生時刻が到来しない場合（すなわち、自動再生設定がされていない場合、及び、設定はされているが当該時刻が到来していない場合）の処理のうち、図９中、ステップＳ３２１〜ステップＳ３２８は、図２におけるステップＳ２１〜ステップＳ２８に相当するので、ここでの説明は省略する。
【００９６】
上記ステップＳ３２７において、再生が終了すると、システム制御部６は、この再生の終了が自動再生の終了であるか否かを判断する（ステップＳ３５１）。ここで、自動再生の終了ではなく、通常再生の終了である場合は、メインルーチンにリターンする。
【００９７】
一方、自動再生の終了である場合、システム制御部６は、中断箇所情報の有無を判定して（ステップＳ３５２）、中断箇所情報があれば、中断箇所データの先頭アドレスを次回の再生開始アドレスに設定して（ステップＳ３５３）、リターンする。一方、中断箇所情報がなければ、リターンする。
【００９８】
このように、本第４の実施形態は、再生が終了した際、終了した再生対象データが自動再生対象データ（第１のデータ）であるか否かを判定し、自動再生の終了であった場合に、さらにこの自動再生に伴って再生が中断され、かつ、中断箇所情報を含むデータ（第２のデータ）があるか否かを判定し、中断箇所情報を含む場合には、当該第２のデータの先頭アドレスを次回の再生開始アドレスに設定するようになっている。
【００９９】
以上説明したように本第４の実施形態によると、所定データの再生中に自動再生機能が働き、別のデータ（自動再生対象データ）が再生された場合であって、当該自動再生処理を終えた後に、中断されたデータをその先頭から容易に再生することを可能とし、便利である。
【０１００】
次に、本発明の第５の実施形態の音声記録再生装置について説明する。
この第５の実施形態の音声記録再生装置は、その構成は図１に示す限りにおいて同様であり、したがってここでの詳しい説明は省略する。
【０１０１】
本第５の実施形態は、自動再生対象データ（第１のデータ）の自動再生に伴って再生が中断されたデータ（第２のデータ）がある場合、自動再生終了後、この第２のデータの中断箇所を次回の再生対象とすることを特徴とする。
【０１０２】
以下、本第５の実施形態特有の処理について説明する。
【０１０３】
本第５の実施形態において、自動再生対象データ（第１のデータ）以外の第２のデータの再生中に自動再生時刻が到来した場合、および一旦中断した第２のデータを再び再生する場合の処理について説明する。
【０１０４】
図１０は、本実施形態の音声記録再生装置における再生処理を示したフローチャートである。
【０１０５】
上記第１の実施形態と同様に、再生ボタン（ＰＬＡＹ  ＳＷ）１０３がオンされると、システム制御部６は、各回路を制御して所定の再生データ（自動再生対象データ（第１のデータ）とは異なる第２のデータ）の再生を開始する（ステップＳ４１１）。再生開始後システム制御部６は、自動再生設定スイッチ１０１により自動再生設定がなされ、さらに当該自動再生時刻が到来したか否かを随時監視する（ステップＳ４１２）。
【０１０６】
ここで、自動再生時刻が到来すると、システム制御部６は、現在再生している第２のデータの再生を中断して（ステップＳ４１３）、この中断箇所のアドレス情報をセーブする（ステップＳ４１４）。この後、自動再生対象データ（第１のデータ）の再生を開始する（ステップＳ４１５）。このステップＳ４１５による自動再生のルーチンは、図４に示す通りであるので、ここでの説明は省略する。
【０１０７】
図１０に戻って、ステップＳ４１２において自動再生時刻が到来しない場合（すなわち、自動再生設定がされていない場合、及び、設定はされているが当該時刻が到来していない場合）の処理のうち、図１０中、ステップＳ４２１〜ステップＳ４２８は、図２におけるステップＳ２１〜ステップＳ２８に相当するので、ここでの説明は省略する。
【０１０８】
上記ステップＳ４２７において、再生が終了すると、システム制御部６は、この再生の終了が自動再生の終了であるか否かを判断する（ステップＳ４５１）。ここで、自動再生の終了ではなく、通常再生の終了である場合は、メインルーチンにリターンする。
【０１０９】
一方、自動再生の終了である場合、システム制御部６は、中断箇所情報の有無を判定して（ステップＳ４５２）、中断箇所情報があれば、中断箇所アドレスを次回の再生開始アドレスに設定して（ステップＳ４５３）、リターンする。一方、中断箇所情報がなければ、リターンする。
【０１１０】
このように、本第５の実施形態は、再生が終了した際、終了した再生データが自動再生対象データ（第１のデータ）であるか否かを判定し、自動再生の終了であった場合に、さらにこの自動再生に伴って再生が中断され、かつ、中断箇所情報を含むデータ（第２のデータ）があるか否かを判定し、中断箇所情報を含む場合には、中断箇所データアドレスを次回の再生開始アドレスに設定するようになっている。
【０１１１】
以上説明したように本第４の実施形態によると、所定データの再生中に自動再生機能が働き、別のデータ（自動再生対象データ）が再生された場合であって、当該自動再生処理を終えた後に、中断された箇所からデータを容易に再生することを可能とし、便利である。
【０１１２】
【発明の効果】
以上説明したように本発明によれば、所定のデータを対象とした自動再生機能が働くことによって中断された現に再生中のデータを、この中断箇所等から容易に再生を再開することが可能なデータ再生装置を提供するができる。
【図面の簡単な説明】
【図１】本発明の第１の実施形態である音声記録再生装置の構成を示したブロック図である。
【図２】第１の実施形態の音声記録再生装置における自動再生に係る基本的な処理動作を示したフローチャートである。
【図３】第１の実施形態の音声記録再生装置における再生処理を示したフローチャートである。
【図４】第１の実施形態の音声記録再生装置における自動再生処理のサブルーチンを示したフローチャートである。
【図５】第１の実施形態の音声記録再生装置におけるサブルーチン「Ｐ−Ｆ．ＳＫＩＰ」を示したフローチャートである。
【図６】本発明の第２の実施形態の音声記録再生装置における自動再生に係る基本的な処理動作を示したフローチャートである。
【図７】第２の実施形態の音声記録再生装置における再生処理を示したフローチャートである。
【図８】本発明の第３の実施形態の音声記録再生装置における再生処理を示したフローチャートである。
【図９】本発明の第４の実施形態の音声記録再生装置における再生処理を示したフローチャートである。
【図１０】本発明の第５の実施形態の音声記録再生装置における再生処理を示したフローチャートである。
【符号の説明】
６…システム制御部
９…ＬＣＤ表示器
１０１…自動再生設定スイッチ
１０２…録音ボタン
１０３…再生ボタン
１０４…停止ボタン
１０５…自動再生対象データ選択スイッチ
１０６…早送りボタン
１０７…早戻しボタン
【図１】
0004963529.tif 000002
【図２】
0004963529.tif 000003
【図３】
0004963529.tif 000004
【図４】
0004963529.tif 000005
【図５】
0004963529.tif 000006
【図６】
0004963529.tif 000007
【図７】
0004963529.tif 000008
【図８】
0004963529.tif 000009
【図９】
0004963529.tif 000010
【図１０】
0004963529.tif 000011